(57)【要約】【課題】  本発明は、入力支援可能な拡張装置を提供することを目的とする。【解決手段】  電子機器１の本体１１上面には複数のキートップが備えられたキーボード１４が載置されている。キーボード１４のほぼ中央にはカーソル移動等を行うためのスティックタイプのポインティングデバイス１６が備えられている。電子機器１には拡張装置２０が着脱可能に接続可能であり、コンピュータ載置部２１を有している。拡張装置２０のユーザー側に位置する前部２５が設けられており、電子機器１がコンピュータ載置部２１に載置された際、前部２５の上面２６と電子機器１の本体１１の上面と略同じ高さになるように形成されておりパームレストとして機能する。パームレスト２６の略中央にはタッチパッド式のポインティングデバイス２７が配置されている。【選択図】  図２
2007079840.tif 000002
【特許請求の範囲】
【請求項１】
上面にキーボードを有する電子機器に接続可能な拡張装置において、
上記電子機器に着脱可能なコネクタを有する載置部と、
上記載置部に一体に形成されるとともに、上記電子機器が上記載置部に載置された際、
上記電子機器の上面と略同じ高さになる上面を有した前部と、
上記前部の上面に設けられ、上記接続された電子機器のカーソル移動を行うポインティ
ングデバイスと、
を具備する事を特徴とする拡張装置。
【請求項２】
上記電子機器のキーボードにはポインティングデバイスが設けられている事を特徴とする
請求項１記載の拡張装置。
【請求項３】
上記電子機器はパームレスト部を有し、上記電子機器は上記載置部に載置された際、上記
パームレスト部と上記前部の上面とは略同じ高さになることを特徴とする請求項１記載の
拡張装置。
【請求項４】
上記電子機器のパームレスト部にはポインティングデバイスが設けられている事を特徴と
する請求項３記載の拡張装置。
【発明の詳細な説明】
【技術分野】
【０００１】
本発明は、電子機器に接続可能な拡張装置に関する。
【背景技術】
【０００２】
今年、携帯型コンピュータ所謂、ノートブック型パーソナルコンピュータ（以下、コン
ピュータと称する）においては、小型軽量化により従来のＡ４サイズあるいはＢ５サイズ
よりもさらに小さい、ビデオテープサイズのものも存在する。このような超小型のコンピ
ュータにおいてはキーボードの大きさにも限界があり、さらにはポインティングデバイス
が設けられていなかったり、キーボード入力時にユーザーの掌をおく所謂パームレストと
呼ばれる部分も存在しない場合がある。
【０００３】
そこでコンピュータに接続される機器にパームレスト（リストレスト）を一体に設ける
ような機器も存在する。（特許文献１参照）。
【特許文献１】特開２００１−２４２９６０
【発明の開示】
【発明が解決しようとする課題】
【０００４】
特許文献1には前述したようにコンピュータに接続される支持台にユーザーのリストを
載せるためのリストレストが一体に設けられている。ユーザーは入力姿勢が緩和できるた
め腕の披露等が軽減できるという効果を有しているが、ポインティングデバイス等の入力
装置が設けられていないため、入力支援という点ではまだユーザーを支援するにいたって
いない。
【０００５】
そこで本発明は、入力支援可能な拡張装置を提供することを目的とする。
【課題を解決するための手段】
【０００６】
上記目的を達成するために、上面にキーボードを有する電子機器に接続可能な拡張装置
は、電子機器に着脱可能なコネクタを有する載置部と、載置部に一体に形成されるととも
に、電子機器が載置部に載置された際、電子機器の上面と略同じ高さになる上面を有した
前部と、前部の上面に設けられ、接続された電子機器のカーソル移動を行うポインティン
グデバイスと、を具備する事を特徴とする。
【発明の効果】
【０００７】
本発明によれば、入力支援可能な拡張装置を提供することが可能である。
【発明を実施するための最良の形態】
【０００８】
以下、図面を参照して本発明の実施形態について詳細に説明する。図１は電子機器と拡
張装置との斜視図である。図２は電子機器に拡張装置を接続した状態を示す斜視図である
。
【０００９】
図１，２に示すように、ノート型コンピュータ（電子機器）１は本体１１を有している
。本体１１には表示部１２がヒンジ部１３を介して回動可能に接続されている。本体１１
上面には複数のキートップが備えられたキーボード１４が載置されている。表示部１２に
は表示装置１７が内蔵されている。本体１１の側面にはＵＳＢポート１８およびＬＡＮコ
ネクタ１９が設けられている。キーボード１４のほぼ中央にはカーソル移動等を行うため
のスティックタイプのポインティングデバイス１６が備えられている。
【００１０】
電子機器１には拡張装置２０が着脱可能に接続される。拡張装置２０はコンピュータ載
置部２１を有している。コンピュータ載置部２１は、電子機器１の本体１１の平面寸法と
ほぼ同じ大きさを有している。コンピュータ載置部２１には、電子機器１に設けられてい
る図示しない拡張コネクタに着脱可能に接続されるコネクタ２２が設けられている。拡張
装置２０の側面２３にはＵＳＢポート２４が設けられている。ＵＳＢポート２４はコネク
タ２２を介して電子機器１に内蔵されている図示しないシステム基板と電気的に接続され
ている。拡張装置２０のユーザー側に位置する前部２５が設けられている。前部２５は厚
みがコンピュータ載置部２１に比べ厚く形成されており、電子機器１がコンピュータ載置
部２１に載置された際、前部２５の上面２６と電子機器１の本体１１の上面と略同じ高さ
になるように形成されている。拡張装置２０には光ディスクドライブ（ＤＶＤドライブ、
ＣＤドライブ等）２８が内蔵されており、前部２５の前面２９からドライブ２８のトレイ
が出し入れ自在に配置されている。これにより電子機器１担体では光ディスクを使用する
事はできないが拡張装置２０を電子機器１に接続する事で光ディスを使用する事が可能と
なる。また、前部２５の上面２６の略中央にはタッチパッド式のポインティングデバイス
２７が配置されている。
【００１１】
以上のような構成により、前部２５の上面２６はコンピュータ載置部２１に載置された
電子機器１の本体１１の上面と略同じ高さになるために、ユーザーが使用する際は前部２
５の上面２６をパームレストとして使用する事ができる。さらに、前部２５の上面にポイ
ンティングデバイス２７が設けられているためにユーザーは拡張装置２０のポインティン
グデバイス２７または電子機器１のポインティングデバイス１６のいずれか使い勝手の良
いほうを使用する事ができる。
【００１２】
次に第２の実施形態について説明する。図３は、第２の実施形態に係る電子機器と拡張
装置との斜視図である。図４は、第２の実施形態に係る電子機器に拡張装置を接続した状
態を示す斜視図である。なお、第１の実施の形態と同じ構成には同一符号を付して説明を
省略する。
【００１３】
図３，４に示すように、第１の実施の形態に記載した電子機器１と第２の実施の形態に
記載する電子機器１０とは機器本体３１の前部（キーボード１４の手前）にパームレスト
部１５が設けられている点で異なり、パームレスト部１５にはボールタイプのポインティ
ングデバイス１６ａが配置されている。
【００１４】
拡張装置２０は第１の実施の形態に記載の拡張装置２０と同じ構成であり、
コンピュータ載置部２１の大きさが電子機器１０のパームレスト部１５の分だけ大きくな
っている点で異なる。
【００１５】
図４に示すように、電子機器１０を拡張装置２０に接続した際、ユーザーは電子機器１
のパームレスト部１５のポインティングデバイス１６ａおよび拡張装置２０のポインティ
ングデバイス２７のいずれか使い勝手の良いほうを使用する事が可能となる。
【００１６】
以上のような実施の形態にする事で、ユーザーはパームレストの無い電子機器に対して
パームレスト部を有する拡張装置を接続する事で電子機器へのデータ入力作業が容易に行
えるとともにデータ入力作業に伴う疲労が改善されるという効果を得られる。さらには拡
張装置のパームレスト部にポインティングデバイスを設けた事により、例えばポインティ
ングデバイスの無い電子機器に接続する事でポインティングデバイスを拡張する事になり
データ入力作業の向上、使い勝手の向上という効果を得る事が可能となる。また、ポイン
ティングデバイスを備えた電子機器に接続した場合、ユーザーは電子機器または拡張装置
の両方に備えられているポインティングデバイスのいずれか使い勝手の良いほうを選択し
て使用する事ができるためユーザーにとってさらに使い勝手が向上するという効果を得る
事ができる。
【００１７】
本発明は上述の実施の形態に限定されるものはなく、他の機器、例えば電子手帳等の拡
張装置にも応用する事ができる。
【図面の簡単な説明】
【００１８】
【図１】電子機器と拡張装置との斜視図。
【図２】電子機器に拡張装置を接続した状態を示す斜視図。
【図３】第２の実施形態に係る電子機器と拡張装置との斜視図。
【図４】第２の実施形態に係る電子機器に拡張装置を接続した状態を示す斜視図。
【符号の説明】
【００１９】
１，１０…電子機器、１１,３１…本体、１２…表示部、１３…ヒンジ部、１４…キーボ
ード、１５，２６…パームレスト部、１６，１６ａ、２７…ポインティングデバイス、１
７…表示装置、１８，２４…ＵＳＢポート、１９…ＬＡＮコネクタ、２０…拡張装置、２
１…コンピュータ載置部、２２…コネクタ、２３…側面、２５…前部、２８…光ディスク
ドライブ
【図１】
2007079840.tif 000003
【図２】
2007079840.tif 000004
【図３】
2007079840.tif 000005
【図４】
2007079840.tif 000006